(57)【要約】【課題】力を作用させる位置によってレバーの操作感が変化することを抑制するハンドル装置を提供する。【解決手段】  本発明の室外側ハンドル装置３は、ラッチ錠５を備える扉２の室外側壁面２ｂに固定される室外側ハンドル１０と、室外側ハンドル１０に変位可能に設けられ、ラッチ錠５を解錠する場合に初期位置Ｐ１から解錠位置Ｐ２に変位操作される室外側レバー１１と、室外側ハンドル１０と室外側レバー１１との間に設けられる室外側支持機構１２と、を備え、室外側支持機構１２は、互いに離間する位置で室外側ハンドル１０と室外側レバー１１とに架け渡されて枢支される一対のリンク２０，２２を含んで構成されている。【選択図】図５
2016164329.tif 000002
【特許請求の範囲】
【請求項１】
ラッチ錠を備える扉の壁面に固定されるハンドルと、
前記ハンドルに変位可能に設けられ、前記ラッチ錠を解錠する場合に初期位置から解錠位置に変位操作されるレバーと、
前記ハンドルと前記レバーとの間に設けられる支持機構と、を備え、
前記支持機構は、互いに離間する位置で前記ハンドルと前記レバーとに架け渡されて枢支される一対のリンクを含んで構成されていることを特徴とするハンドル装置。
【請求項２】
前記一対のリンクの一方は、前記ハンドルに第１固定ピンを介して枢支されると共に、前記レバーに第１可動ピンを介して枢支され、
前記一対のリンクの他方は、前記ハンドルに第２固定ピンを介して枢支されると共に、前記レバーに第２可動ピンを介して枢支され、
前記第１固定ピンと前記第１可動ピンとの間隔は、前記第２固定ピンと前記第２可動ピンとの間隔と同一であり、
前記第１固定ピンと前記第２固定ピンとの間隔は、前記第１可動ピンと前記第２可動ピンとの間隔と同一であることを特徴とする請求項１に記載のハンドル装置。
【請求項３】
前記ハンドルは、前記扉の壁面に離間して固定される一対の台座の間に架設されるグリップを含み、
前記グリップは、前記扉との対向面に凹設されるレバー挿入部を有し、
前記レバーは、前記レバー挿入部の外側に突出する前記初期位置と、前記レバー挿入部の内側に入り込む前記解錠位置との間で変位可能に設けられ、
前記支持機構は、前記レバーを前記初期位置に向けて付勢する付勢部材を含んでいることを特徴とする請求項１または２に記載のハンドル装置。
【請求項４】
前記ハンドルは、前記扉の壁面に離間して固定される一対の台座の間に架設されるグリップを含み、
前記グリップは、前記扉との対向面の反対側の面に凹設されるレバー挿入部を有し、
前記レバーは、前記レバー挿入部の外側に突出する前記初期位置と、前記レバー挿入部の内側に入り込む前記解錠位置との間で変位可能に設けられ、
前記支持機構は、前記レバーを前記初期位置に向けて付勢する付勢部材を含んでいることを特徴とする請求項１または２に記載のハンドル装置。
【請求項５】
前記レバー挿入部は、前記グリップの長手方向全域に亘って凹設され、
前記レバーは、前記レバー挿入部の長手方向に沿って長く形成されていることを特徴とする請求項３または４に記載のハンドル装置。
【発明の詳細な説明】
【技術分野】
【０００１】
本発明は、扉に取り付けられたラッチ錠を施解錠操作するハンドル装置に関する。
【背景技術】
【０００２】
従来から、玄関の扉等には、扉を仮締り状態にするためのラッチ錠が取り付けられている。ラッチ錠は、扉枠に設けられたストライクに扉の木口から突出させたラッチボルトを係合させることで、仮締り状態を維持する。
【０００３】
特許文献１に記載のラッチ錠は、扉の壁面に固定されるハンドルに回転可能に支持されるレバーを操作することで仮締り状態が解除される。レバーは、ハンドルの上部から下方に延設されている。レバーは、ハンドルの上部に位置する回転軸を中心として前後方向に回動可能に支持されている。ユーザーは、ハンドルおよびレバーを握ることで、ハンドル内にレバーを回動させる。
【先行技術文献】
【特許文献】
【０００４】
【特許文献１】特開２０１３−１８９８４３号公報
【発明の概要】
【発明が解決しようとする課題】
【０００５】
しかしながら、上記したレバーは上部の回転軸を中心に回動（揺動）するため、ユーザーがレバーを握る位置によってレバーの回動に必要な力（負荷）が変わるという問題があった。例えば、回転軸から離れたレバーの下部を握る場合、ユーザーは、レバーを小さな力で回動させることができる。これに対し、回転軸に近いレバーの上部を握る場合、ユーザーは、レバーに大きな力を作用させる必要があった。この場合、子供やお年寄り等の力の弱いユーザーは、適切なレバー操作を行うことができず、ラッチ錠を解錠することができないことがあった。
【０００６】
本発明は、上記のような課題を解決するため、力を作用させる位置によってレバーの操作感が変化することを抑制するハンドル装置を提供することを目的とする。
【課題を解決するための手段】
【０００７】
上記した目的を達成するため、本発明のハンドル装置は、ラッチ錠を備える扉の壁面に固定されるハンドルと、前記ハンドルに変位可能に設けられ、前記ラッチ錠を解錠する場合に初期位置から解錠位置に変位操作されるレバーと、前記ハンドルと前記レバーとの間に設けられる支持機構と、を備え、前記支持機構は、互いに離間する位置で前記ハンドルと前記レバーとに架け渡されて枢支される一対のリンクを含んで構成されている。
【０００８】
この構成によれば、ハンドルとレバーと一対のリンクとは、４節リンク機構を構成している。ユーザーによって変位操作されたレバーは、ハンドルに対する各リンクの２つの枢支部分を焦点とする楕円軌道に沿って変位する。すなわち、レバーは、初期位置から解錠位置に略平行移動する。したがって、ユーザーがレバーに触れる位置によって、レバーの変位に必要な力（負荷）が極端に変化することがない。これにより、レバーに力を作用させる（力点）位置に関わらず、ユーザーは、略均一な力でレバーを操作することができる。つまり、レバーの操作にかかる感触（操作感）を向上させることができる。
【０００９】
この場合、前記一対のリンクの一方は、前記ハンドルに第１固定ピンを介して枢支されると共に、前記レバーに第１可動ピンを介して枢支され、前記一対のリンクの他方は、前記ハンドルに第２固定ピンを介して枢支されると共に、前記レバーに第２可動ピンを介して枢支され、前記第１固定ピンと前記第１可動ピンとの間隔は、前記第２固定ピンと前記第２可動ピンとの間隔と同一であり、前記第１固定ピンと前記第２固定ピンとの間隔は、前記第１可動ピンと前記第２可動ピンとの間隔と同一であることが好ましい。
【００１０】
これらの構成によれば、ハンドルとレバーと一対のリンクとは、平行リンク機構を構成している。第１可動ピンは第１固定ピンを中心に回動し、第２可動ピンは第２固定ピンを中心に回動する。レバーは、初期位置から解錠位置に略平行移動する。これにより、レバーに力を作用させる位置に関わらず、ユーザーは、略均一な力でレバーを操作することができる。
【００１１】
この場合、前記ハンドルは、前記扉の壁面に離間して固定される一対の台座の間に架設されるグリップを含み、前記グリップは、前記扉との対向面に凹設されるレバー挿入部を有し、前記レバーは、前記レバー挿入部の外側に突出する前記初期位置と、前記レバー挿入部の内側に入り込む前記解錠位置との間で変位可能に設けられ、前記支持機構は、前記レバーを前記初期位置に向けて付勢する付勢部材を含んでいることが好ましい。
【００１２】
この構成によれば、例えば、グリップを牽引して扉を開放する場合、扉を開放する動作と、レバーをレバー挿入部内に引き寄せる動作と、を連動させることができる。これにより、ユーザーは、ラッチ錠の解錠を意識することなく容易に扉を開放することができる。また、ユーザーがレバーから手を離すと、レバーは、付勢部材に付勢されて自動的に初期位置に復帰することができる。
【００１３】
他の場合、前記ハンドルは、前記扉の壁面に離間して固定される一対の台座の間に架設されるグリップを含み、前記グリップは、前記扉との対向面の反対側の面に凹設されるレバー挿入部を有し、前記レバーは、前記レバー挿入部の外側に突出する前記初期位置と、前記レバー挿入部の内側に入り込む前記解錠位置との間で変位可能に設けられ、前記支持機構は、前記レバーを前記初期位置に向けて付勢する付勢部材を含んでいることが好ましい。
【００１４】
この構成によれば、例えば、グリップを押圧して扉を開放する場合、扉を開放する動作と、レバーをレバー挿入部内に押し込む動作と、を連動させることができる。これにより、ユーザーは、ラッチ錠の解錠を意識することなく容易に扉を開放することができる。また、ユーザーがレバーから手を離すと、レバーは、付勢部材に付勢されて自動的に初期位置に復帰することができる。
【００１５】
この場合、前記レバー挿入部は、前記グリップの長手方向全域に亘って凹設され、前記レバーは、前記レバー挿入部の長手方向に沿って長く形成されていることが好ましい。
【００１６】
この構成によれば、グリップの長手方向全域に沿ってレバーが設けられているため、ユーザーは、グリップの把持する位置に関わらず、略確実にレバーを操作することができる。
【発明の効果】
【００１７】
本発明によれば、力を作用させる位置の変化に基づくレバーの操作感の変化を抑制することができる。
【図面の簡単な説明】
【００１８】
【図１】本発明の一実施形態に係る各ハンドル装置を備える電気錠システムの概略を示す正面図である。
【図２】本発明の一実施形態に係る各ハンドル装置を示す側断面図である。
【図３】図２のＩＩＩ−ＩＩＩ断面図である。
【図４】本発明の一実施形態に係る各ハンドル装置によって操作されるラッチ錠を示す側断面図である。
【図５】本発明の一実施形態に係る各ハンドル装置の作用を説明する側断面図である。
【発明を実施するための形態】
【００１９】
以下、本発明の実施の形態について、添付した図面を参照しながら説明する。なお、以下の説明では、便宜上、室外側を正面（前）、室内側を背面（後）として、各図に示す方向を基準にする。
【００２０】
図１ないし図４を参照して、本発明の実施形態に係る各ハンドル装置を備える電気錠システム１について説明する。図１は電気錠システム１の概略を示す正面図である。図２は室外側ハンドル装置３および室内側ハンドル装置４を示す側断面図である。図３は、図２のＩＩＩ−ＩＩＩ断面図である。図４はラッチ錠５を示す側断面図である。
【００２１】
図１および図２に示すように、電気錠システム１は、室外側ハンドル装置３と、室内側ハンドル装置４と、ラッチ錠５と、施解錠操作装置６と、主電気錠７と、副電気錠８と、制御装置９と、電源Ｇと、を含んで構成されている。各ハンドル装置３，４は、扉２の室外内両壁面２ｂ，２ｃに設けられている。施解錠操作装置６は、室外側ハンドル装置３（後述する室外側ハンドル１０）に設けられている。ラッチ錠５、主電気錠７、副電気錠８および制御装置９は、それぞれ、扉２の内部に設けられている。電源Ｇは、扉２および扉枠２ｄの外部に設けられている。
【００２２】
図２に示すように、室外側ハンドル装置３は、室外側ハンドル１０と、室外側レバー１１と、室外側支持機構１２と、を含んで構成されている。室外側ハンドル１０は、扉２の室外側壁面２ｂに固定されている。室外側レバー１１は、室外側ハンドル１０に略水平に変位可能に設けられている。室外側支持機構１２は、室外側ハンドル１０と室外側レバー１１との間に設けられている。
【００２３】
室外側ハンドル１０は、前方（室外側）に凸となるアーチ状に形成されている。室外側ハンドル１０は、上室外側台座１３と、下室外側台座１４と、室外側グリップ１５と、を含んで一体に形成されている。上室外側台座１３と下室外側台座１４とは、扉２の室外側壁面２ｂに上下方向に離間して固定されている。室外側グリップ１５は、上下一対の室外側台座１３，１４の間に架設されている。
【００２４】
上下一対の室外側台座１３，１４は、上下対称となる外形を有している。上室外側台座１３の下側後面には、室外側台座凹部１３ａが凹設されている。室外側台座凹部１３ａには、平面視で略Ｕ字状の室外側ブラケット１６が嵌め込まれている。室外側ブラケット１６は、開放側を室外側台座凹部１３ａに進入させ、室外側台座凹部１３ａを塞ぐように上室外側台座１３の後面にネジ止め固定されている。室外側ブラケット１６の後壁には、ブラケット挿通孔１６ａが穿設されている。室外側ブラケット１６の開放側（前側）には、ラッチ回動軸１６ｂが左右方向に架設されている。
【００２５】
室外側台座凹部１３ａの内部には、側面視で略Ｌ字状に形成される室外側ラッチバー１７が配設されている。室外側ラッチバー１７は、上下方向に長い略矩形板状のラッチ取付部１７ａの上端部で屈曲して後方に延びるラッチ本体１７ｂを有している。室外側ラッチバー１７の屈曲部分には、上下方向に長い長穴１７ｃが穿設されている。長穴１７ｃには、ラッチ回動軸１６ｂが貫通している。室外側ラッチバー１７は、ラッチ回動軸１６ｂに対して、上下方向に移動可能に支持されると共に回動可能に支持されている。ラッチ取付部１７ａの下部には、第１可動ピン２０ｂが突設されている。ラッチ本体１７ｂは、ブラケット挿通孔１６ａを通って扉２の内部に延びている。
【００２６】
ラッチ回動軸１６ｂには、ラッチ戻しバネ１８（所謂捩りコイルバネ）が巻回している。ラッチ戻しバネ１８の一対の腕部（図示せず）は、室外側ブラケット１６と室外側ラッチバー１７とに係合している。これにより、ラッチ戻しバネ１８は、室外側ラッチバー１７を図２で反時計回りに付勢している。
【００２７】
室外側グリップ１５は、上下方向に長く形成されている。室外側グリップ１５は、片手で覆うことができる程度の長さ（例えば、１５０〜２００ｍｍ程度）に形成されている。室外側壁面２ｂと、上下一対の室外側台座１３，１４と、室外側グリップ１５とで囲まれる空間は、ユーザーの片方の手の平を挿入可能な大きさに形成されている。室外側グリップ１５は、扉２との対向面に凹設される室外側レバー挿入部１５ａを有している。室外側レバー挿入部１５ａは、室外側グリップ１５の上下方向略全域に亘って凹設されている。室外側レバー挿入部１５ａの上端部は、上室外側台座１３の室外側台座凹部１３ａに連通している。
【００２８】
室外側レバー挿入部１５ａの下部には、レバー取付凹部１５ｂが凹設されている。レバー取付凹部１５ｂは、室外側レバー挿入部１５ａの底面（前面）から更に前方に向けて窪んでいる。室外側グリップ１５には、レバー取付凹部１５ｂに連通する上下一対のネジ貫通穴１５ｃが穿設されている。
【００２９】
続いて、室外側レバー１１は、室外側レバー挿入部１５ａに配設されている。室外側レバー１１は、室外側レバー挿入部１５ａの長手方向に沿って長く形成されている。室外側レバー１１は、前方に凸となるように僅かに湾曲している。室外側レバー１１の上部は、室外側台座凹部１３ａに進入し、ラッチ取付部１７ａの第１可動ピン２０ｂに回動可能に支持されている。詳細は後述するが、室外側レバー１１は、扉２に備えられたラッチ錠５を解錠する場合に、ユーザーによって初期位置Ｐ１から解錠位置Ｐ２（図５参照）に変位操作される。
【００３０】
続いて、室外側支持機構１２は、互いに離間する位置で室外側ハンドル１０と室外側レバー１１とに架け渡されて枢支される上下一対のリンク２０，２２を含んで構成されている。詳細には、室外側支持機構１２は、第１リンク２０と、リンクブラケット２１と、第２リンク２２と、レバー戻しバネ２３と、を有している。第１リンク２０は、室外側台座凹部１３ａの下部に配設されている。リンクブラケット２１は、室外側レバー挿入部１５ａの下部に配設されている。第２リンク２２およびレバー戻しバネ２３は、リンクブラケット２１に支持されている。
【００３１】
第１リンク２０は、例えば、ステンレス等の金属材料によって前後方向に長い板状に形成されている。第１リンク２０は、室外側台座凹部１３ａ内で、室外側ブラケット１６の下部と室外側レバー１１の上部との間に架設されている。第１リンク２０は、室外側ハンドル１０の室外側ブラケット１６に第１固定ピン２０ａを介して回動可能に支持（枢支）されている。また、第１リンク２０は、ラッチ取付部１７ａの第１可動ピン２０ｂに回動可能に支持されている。すなわち、第１リンク２０は、室外側ラッチバー１７と室外側レバー１１とに第１可動ピン２０ｂを介して枢支されている。
【００３２】
図３に示すように、リンクブラケット２１は、例えば、ステンレス等の金属材料によって平面視で略Ｕ字状に形成されている。リンクブラケット２１は、開放側を後方に向ける姿勢で、室外側レバー挿入部１５ａのレバー取付凹部１５ｂに嵌め込まれている。図２に示すように、リンクブラケット２１の前壁には、上下一対のネジ穴２１ａが形成されている。各ネジ穴２１ａには、室外側グリップ１５に開口するネジ貫通穴１５ｃを貫通したネジＮ１が螺合する。これにより、リンクブラケット２１は、室外側グリップ１５に固定される。リンクブラケット２１の開放側（後側）には、第２固定ピン２２ａが左右方向に架設されている（図３参照）。
【００３３】
図２および図３に示すように、第２リンク２２は、第１リンク２０と同一材質で同一形状に形成されている。第２リンク２２は、リンクブラケット２１と室外側レバー１１の下部との間に架設されている。第２リンク２２は、リンクブラケット２１の第２固定ピン２２ａに回動可能に支持されている。すなわち、第２リンク２２は、リンクブラケット２１を介して室外側ハンドル１０（室外側グリップ１５）に枢支されている。また、第２リンク２２は、室外側レバー１１に第２可動ピン２２ｂを介して枢支されている。
【００３４】
図２に示すように、第１リンク２０および第２リンク２２は、それぞれ、側面視で前方から後方に向かって下り勾配となるように設けられている。本実施形態では、第１固定ピン２０ａと第１可動ピン２０ｂとの間隔Ｌ１は、第２固定ピン２２ａと第２可動ピン２２ｂとの間隔Ｌ２と同一である（Ｌ１＝Ｌ２）。また、第１固定ピン２０ａと第２固定ピン２２ａとの間隔Ｌ３は、第１可動ピン２０ｂと第２可動ピン２２ｂとの間隔Ｌ４と同一である（Ｌ３＝Ｌ４）。つまり、室外側ハンドル１０と室外側レバー１１と上下一対のリンク２０，２２とは、４節平行リンク機構を構成している。
【００３５】
上記した室外側レバー１１は、４節平行リンク機構の駆動リンク（駆動力が加わるリンク）を構成している。室外側レバー１１は、室外側レバー挿入部１５ａの外側に突出する初期位置Ｐ１と、室外側レバー挿入部１５ａの内側に入り込む解錠位置Ｐ２（図５参照）との間で変位可能に設けられている。
【００３６】
図２および図３に示すように、レバー戻しバネ２３は、所謂捩りコイルバネであって、第２固定ピン２２ａに巻回している。レバー戻しバネ２３の一対の腕部は、リンクブラケット２１と第２リンク２２とに係合している。これにより、レバー戻しバネ２３は、第２リンク２２を図２で反時計回りに付勢している。すなわち、レバー戻しバネ２３は、室外側レバー１１を初期位置Ｐ１に向けて付勢している。
【００３７】
次に、図２を参照して、室内側ハンドル装置４について説明する。なお、室内側ハンドル装置４は、室外側ハンドル装置３と扉２を挟んで略前後対称であるため、室外側ハンドル装置３と同様の説明は省略する。
【００３８】
室内側ハンドル装置４は、室内側ハンドル３０と、室内側レバー３１と、室内側支持機構３２と、を含んで構成されている。室内側ハンドル３０は、扉２の室内側壁面２ｃに固定されている。室内側レバー３１は、室内側ハンドル３０に略水平に変位可能に設けられている。室内側支持機構３２は、室内側ハンドル３０と室内側レバー３１との間に設けられている。
【００３９】
室内側ハンドル３０は、上室内側台座３３と、下室内側台座３４と、室内側グリップ３５と、を含んで一体に形成されている。
【００４０】
上室内側台座３３の下側前面（扉２側）には、室内側台座凹部３３ａが凹設されている。室内側台座凹部３３ａには、平面視で略Ｕ字状の室内側ブラケット３６が嵌め込まれている。室内側ブラケット３６は、開放側を室内側台座凹部３３ａに進入させ、室内側台座凹部３３ａを塞ぐように上室内側台座３３の前面にネジ止め固定されている。室内側ブラケット３６の前壁には、ブラケット挿通孔３６ａが穿設されている。室内側ブラケット３６の開放側（後側）には、ラッチ回動軸３６ｂが左右方向に架設されている。
【００４１】
室内側台座凹部３３ａの内部には、側面視で略Ｌ字状に形成される室内側ラッチバー３７が配設されている。室内側ラッチバー３７は、上下方向に長い略矩形板状のラッチ取付部３７ａの上端部で屈曲して前方に延びるラッチ本体３７ｂを有している。室内側ラッチバー３７の屈曲部分には、ラッチ回動軸３６ｂを貫通させる長穴３７ｃが穿設されている。室内側ラッチバー３７は、ラッチ回動軸３６ｂに対して、上下方向に移動可能に支持されると共に回動可能に支持されている。ラッチ取付部３７ａの下部には、第１可動ピン４０ｂが突設されている。ラッチ本体３７ｂは、ブラケット挿通孔３６ａを通って扉２の内部に延びている。また、ラッチ回動軸３６ｂには、室内側ラッチバー３７を図２で反時計回りに付勢するラッチ戻しバネ３８（所謂捩りコイルバネ）が巻回している。
【００４２】
なお、上室内側台座３３は、上室外側台座１３のネジ穴部材１３ｂに室内側からネジＮ２を螺合させることで扉２に固定される。同様に、下室内側台座３４は、下室外側台座１４のネジ穴部材１４ａに対してネジＮ３によって固定される。
【００４３】
室内側グリップ３５は、上下方向に長く（例えば、１５０〜２００ｍｍ程度）形成され、扉２とは反対側の面（後面）に凹設される室内側レバー挿入部３５ａを有している。室内側レバー挿入部３５ａは、室内側グリップ３５の上下方向略全域に亘って凹設されている。室内側レバー挿入部３５ａの上端部は、上室内側台座３３の室内側台座凹部３３ａに連通している。室内側レバー挿入部３５ａの下部には、レバー取付凹部３５ｂが凹設されている。室内側グリップ３５には、レバー取付凹部３５ｂに連通する上下一対のネジ貫通穴３５ｃが穿設されている。
【００４４】
続いて、室内側レバー３１は、室内側レバー挿入部３５ａに配設されている。室内側レバー３１は、室内側レバー挿入部３５ａの長手方向に沿って長く形成されている。室内側レバー３１の上部は、室内側台座凹部３３ａに進入し、ラッチ取付部３７ａの第１可動ピン４０ｂに回動可能に支持されている。
【００４５】
続いて、室内側支持機構３２は、第１リンク４０と、リンクブラケット４１と、第２リンク４２と、レバー戻しバネ４３と、を有している。
【００４６】
第１リンク４０は、室内側台座凹部３３ａ内で、室内側ブラケット３６の下部と室内側レバー３１の上部との間に架設されている。第１リンク４０は、室内側ブラケット３６に第１固定ピン４０ａを介して枢支されている。また、第１リンク４０は、室内側ラッチバー３７と室内側レバー３１とに第１可動ピン４０ｂを介して枢支されている。
【００４７】
リンクブラケット４１は、平面視で略Ｕ字状に形成され、開放側を後方に向ける姿勢で、レバー取付凹部３５ｂに嵌め込まれている。リンクブラケット４１の前壁には、上下一対のネジ穴４１ａが形成されている。各ネジ穴４１ａにネジ貫通穴３５ｃを貫通させたネジＮ４を螺合させることで、リンクブラケット４１は、室内側グリップ３５に固定される。リンクブラケット４１の開放側（後側）には、第２固定ピン４２ａが左右方向に架設されている。
【００４８】
第２リンク４２は、リンクブラケット４１と室内側レバー３１の下部との間に架設されている。第２リンク４２は、リンクブラケット４１の第２固定ピン４２ａに枢支されている。また、第２リンク４２は、室内側レバー３１に第２可動ピン４２ｂを介して枢支されている。
【００４９】
第１リンク４０および第２リンク４２は、それぞれ、側面視で前方から後方に向かって上り勾配となるように設けられている。本実施形態では、室内側ハンドル３０と室内側レバー３１と上下一対のリンク４０，４２とは、４節平行リンク機構を構成している。４節平行リンク機構の駆動リンクとしての室内側レバー３１は、室内側レバー挿入部３５ａの外側に突出する初期位置Ｐ３と、室内側レバー挿入部３５ａの内側に入り込む解錠位置Ｐ４（図５参照）との間で変位可能に設けられている。
【００５０】
レバー戻しバネ４３（所謂捩りコイルバネ）は、第２固定ピン４２ａに巻回し、第２リンク４２を図２で反時計回りに付勢している。すなわち、レバー戻しバネ４３は、室内側レバー３１を初期位置Ｐ３に向けて付勢している。
【００５１】
次に、図４を参照して、ラッチ錠５について説明する。ラッチ錠５は、上室外側台座１３と上室内側台座３３との間に挟まれる位置で扉２に内設されている（図２参照）。ラッチ錠５は、錠ケース５０と、ラッチボルト５１と、上下一対の係止片５２，５３と、一対の作動片５４，５５と、を有している。
【００５２】
錠ケース５０は、扉２内に挿入され、取付板５０ａを介して木口２ａにネジ留めされている。ラッチボルト５１は、コイルバネ５１ａに付勢されて木口２ａから突出し、扉枠２ｄに凹設されるストライク２ｅに進入する。
【００５３】
上側の係止片５２は、第１支点５２ａに回動可能に支持されている。係止片５２の木口２ａ側には、ラッチボルト５１の鍔部５１ｂに係合する係止突起５２ｂが下方に突設されている。係止片５２の吊元側には、被押圧部５２ｃが上方に突設されている。係止片５２の略中間部から下方に延出する連結腕部５２ｄには、係合突起５２ｅが設けられている。
【００５４】
下側の係止片５３は、係止片５２を上下対称となるように、係止突起５３ｂ、被押圧部５３ｃおよび連結腕部５３ｄを有し、第２支点５３ａに回動可能に支持されている。連結腕部５３ｄには、係合突起５２ｅと係合する係合穴５３ｅが設けられている。第２支点５３ａには、各係止片５２，５３を付勢して鍔部５１ｂに係合させる付勢バネ５６が巻回している。
【００５５】
各作動片５４，５５は、上下方向に移動可能に構成されている。一方の作動片５４の上部には、被押圧部５２ｃに当接する押圧部５４ａが設けられている。作動片５４の下部には、室外側ラッチバー１７のラッチ本体１７ｂに当接する当接部５４ｂが設けられている。同様に、他方の作動片５５の押圧部５５ａは被押圧部５３ｃに当接し、当接部５５ｂは室内側ラッチバー３７のラッチ本体３７ｂに当接する。
【００５６】
図１に示すように、施解錠操作装置６は、室外側ハンドル１０（上室外側台座１３）に内設されている。施解錠操作装置６は、通信ユニット６０と、プッシュボタン６１と、を含んで構成されている。
【００５７】
通信ユニット６０は、非接触型のＩＣカードや携帯型キー等に予め記憶された認証情報を読み取るリーダーやアンテナ等を備えている（いずれも図示せず）。プッシュボタン６１は、室外側ハンドル１０（上室外側台座１３）の前面に設けられている。プッシュボタン６１は、バネ（図示せず）によって前方に付勢されている。ユーザーがプッシュボタン６１を押し下げると、通信ユニット６０は、ＩＣカード等に記憶された認証情報の読み取りを開始する。
【００５８】
図１に示すように、主電気錠７および副電気錠８は、各ハンドル１０，３０を上下両側から挟むような位置で扉２に内設されている。主電気錠７および副電気錠８は、施解錠操作装置６に対する操作等に基づいて施解錠される。
【００５９】
主電気錠７は、各ハンドル１０，３０よりも上方で、木口２ａから扉２の内部に挿入されている。主電気錠７は、デッドボルト７ａを進退させるモーターやソレノイド等の駆動装置を制御する電気基板（いずれも図示せず）等を備えている。主電気錠７の室内側には、手動でデッドボルト７ａを進退させるためのサムターン（図示せず）が設けられている。主電気錠７の室外側には、機械的キー（図示せず）を挿入して施解錠操作を行うためのシリンダー７ｂが設けられている。
【００６０】
副電気錠８は、各ハンドル１０，３０よりも下方で、木口２ａから扉２の内部に挿入されている。副電気錠８は、主電気錠７と同様に、デッドボルト８ａ、サムターン（図示せず）およびシリンダー８ｂを備えている。
【００６１】
図１に示すように、制御装置９は、主電気錠７の上方で扉２の内部に設けられている。制御装置９は、通信ユニット６０、主電気錠７および副電気錠８にハーネス９ａを介して電気的に接続されている。制御装置９は、例えば、マイクロコンピューターを含んで構成され、通信ユニット６０が読み取った認証情報を判別する機能を有している。制御装置９は、認証情報の判別結果に基づいて各電気錠７，８の施解錠を制御する。また、制御装置９は、主電気錠７を施錠した場合に副電気錠８も同時に施錠する施錠追従機能や、２つの電気錠７，８の一方を解錠して一定時間内に他方を解錠しない場合に解錠した一方を再び自動で施錠する施錠復帰機能を有している。
【００６２】
電源Ｇ（商用電源）は、扉２の吊元に設けられる通電金具６２や扉２の内部に通される電源ケーブル６３を介して制御装置９に電気的に接続されている。電源Ｇは、制御装置９、通信ユニット６０、主電気錠７および副電気錠８等に電力を供給する。
【００６３】
次に、図５を参照して、各ハンドル装置３，４およびラッチ錠５の作用について説明する。図５は各ハンドル装置３，４の作用を説明する側断面図である。なお、各電気錠７，８は解錠された状態であるものとする。
【００６４】
まず、ユーザーが室外側から入室する場合（室外側ハンドル装置３の作用）について説明する。扉２が閉鎖された状態で、ラッチ戻しバネ１８は、室外側ラッチバー１７を付勢して、ラッチ本体１７ｂを略水平な姿勢に保持している（図５の二点鎖線参照）。また、ラッチ戻しバネ１８は、室外側ラッチバー１７を介して室外側レバー１１の上部を後方に付勢している。一方、レバー戻しバネ２３は、第２リンク２２を介して室外側レバー１１の下部を後方に付勢している。つまり、室外側レバー１１は、ラッチ戻しバネ１８およびレバー戻しバネ２３に付勢されて初期位置Ｐ１に変位している（図５の二点鎖線参照）。
【００６５】
また、扉２が閉鎖された状態で、ラッチ錠５の付勢バネ５６は、各係止片５２，５３を付勢して、各係止突起５２ｂ、５３ｂを鍔部５１ｂに係止させている（図４の実線参照）。これにより、ラッチボルト５１の退避が規制される。
【００６６】
扉２を開放するために、ユーザーは、室外側ハンドル１０の室外側グリップ１５を把持して手前に引っ張る。このとき、ユーザーは、室外側グリップ１５と共に室外側レバー１１も把持することになる。このため、室外側レバー１１は、初期位置Ｐ１から解錠位置Ｐ２に向けて引き込まれる（図５の実線参照）。ここで、第１可動ピン２０ｂは第１固定ピン２０ａを中心に時計回りに回動し、第２可動ピン２２ｂは第２固定ピン２２ａを中心に時計回りに回動する。室外側レバー１１は、２つの固定ピン２０ａ，２２ａを焦点とする楕円軌道に沿って変位する。すなわち、室外側レバー１１は、初期位置Ｐ１から解錠位置Ｐ２に略平行移動する（図５の実線参照）。
【００６７】
第１可動ピン２０ｂ（第１リンク２０）の回動に伴って、室外側ラッチバー１７は、長穴１７ｃに沿って下方に移動しながら、ラッチ回動軸１６ｂを支点に時計回りに回動する。ラッチ本体１７ｂは、下方に回動して作動片５４の当接部５４ｂを押し下げる。作動片５４の押圧部５４ａは、当接部５４ｂの下降に連動して被押圧部５２ｃを押し下げる（図４の二点鎖線参照）。このため、係止片５２および係止片５３は、付勢バネ５６の付勢力に抗して回動する（図４の二点鎖線参照）。これにより、各係止突起５２ｂ，５３ｂは鍔部５１ｂから離脱し、ラッチボルト５１は退避可能な状態（解錠状態）になる。この状態で、ユーザーは扉２を開放する。
【００６８】
以上説明した室外側ハンドル装置３によれば、室外側グリップ１５を牽引して扉２を開放する場合、扉２を開放する動作と、室外側レバー１１を室外側レバー挿入部１５ａ内に引き寄せる動作と、を連動させることができる。これにより、ユーザーは、ラッチ錠５の解錠を意識することなく容易に扉２を開放することができる。また、ユーザーが室外側レバー１１（室外側グリップ１５）から手を離すと、室外側レバー１１は、ラッチ戻しバネ１８およびレバー戻しバネ２３に付勢されて自動的に初期位置Ｐ１に復帰することができる。同様に、室外側ラッチバー１７は、ラッチ戻しバネ１８に付勢されて元の位置に復帰する。
【００６９】
次に、ユーザーが室内側から退室する場合（室内側ハンドル装置４の作用）について説明する。なお、扉２が閉鎖された状態では、室内側レバー３１は初期位置Ｐ３に変位しており、室内側ラッチバー３７のラッチ本体３７ｂは略水平な姿勢に保持されている（図５の二点鎖線参照）。
【００７０】
扉２を開放するために、ユーザーは、室内側ハンドル３０の室内側グリップ３５を把持して前方に押圧する。このとき、室内側レバー３１は、ユーザーによって初期位置Ｐ３から解錠位置Ｐ４に向けて押し込まれる（図５の実線参照）。ここで、第１可動ピン４０ｂは第１固定ピン４０ａを中心に時計回りに回動し、第２可動ピン４２ｂは第２固定ピン４２ａを中心に時計回りに回動する。室内側レバー３１は、初期位置Ｐ３から解錠位置Ｐ４に略平行移動（２つの固定ピン４０ａ，４２ａを焦点とする楕円軌道上を移動）する（図５の実線参照）。
【００７１】
第１可動ピン４０ｂ（第１リンク４０）の回動に伴って、室内側ラッチバー３７は、長穴３７ｃに沿って上方に移動しながら、ラッチ回動軸３６ｂを支点に時計回りに回動する。ラッチ本体３７ｂは、上方に回動して作動片５５の当接部５５ｂを押し上げる。作動片５５の押圧部５５ａは、当接部５５ｂの上昇に連動して被押圧部５３ｃを押し上げる（図４の二点鎖線参照）。このため、係止片５２および係止片５３は付勢バネ５６の付勢力に抗して回動し、ラッチボルト５１は退避可能な状態（解錠状態）になる（図４の二点鎖線参照）。なお、ユーザーが室内側グリップ３５から手を離すと、室内側ラッチバー３７および室内側レバー３１は、ラッチ戻しバネ３８およびレバー戻しバネ４３に付勢されて元の位置に戻る。
【００７２】
以上説明した室内側ハンドル装置４によれば、室内側グリップ３５を押圧して扉２を開放する場合、扉２を開放する動作と、室内側レバー３１を室内側レバー挿入部３５ａ内に押し込む動作と、を連動させることができる。これにより、ユーザーは、ラッチ錠５の解錠を意識することなく容易に扉２を開放することができる。また、ユーザーが室内側レバー３１から手を離すと、室内側レバー３１は、ラッチ戻しバネ３８およびレバー戻しバネ４３に付勢されて自動的に初期位置Ｐ３に復帰することができる。同様に、室内側ラッチバー３７は、ラッチ戻しバネ３８に付勢されて元の位置に復帰する。
【００７３】
以上説明した本実施形態に係る室外側ハンドル装置３および室内側ハンドル装置４によれば、室外側レバー１１および室内側レバー３１は、それぞれ、４節平行リンク機構の駆動リンクを構成しているため、前後方向に略平行に移動する。したがって、ユーザーが各レバー１１，３１に触れる位置によって、各レバー１１，３１の変位に必要な力（負荷）が極端に変化することがない。例えば、各レバー１１，３１の上部を握る場合と、各レバー１１，３１下部を握る場合とで、各レバー１１，３１を変位させる力に大きな差が生じない。これにより、各レバー１１，３１に力を作用させる（力点）位置に関わらず、ユーザーは、略均一な力で各レバー１１，３１を操作することができる。つまり、各レバー１１，３１の操作にかかる感触（操作感）を向上させることができる。
【００７４】
ところで、扉２の各壁面２ｂ，２ｃと各グリップ１５，３５との間には、ユーザーの片方の手の平が挿入可能な空間が形成されている。このため、ユーザーは、各グリップ１５，３５を把持することで、必然的に各レバー１１，３１の上下方向略中央部に触れることになる。これにより、ユーザーは、自然に各レバー１１，３１を操作することができる。また、各グリップ１５，３５の長手方向全域に沿って各レバー１１，３１が設けられているため、ユーザーは、各グリップ１５，３５の把持する位置に関わらず、略確実に各レバー１１，３１を操作することができる。
【００７５】
なお、本実施形態に係る室外側ハンドル装置３および室内側ハンドル装置４は、それぞれ、各レバー１１，３１を駆動リンクとする４節平行リンク機構を備えていたが、本発明はこれに限定されない。例えば、各第１リンク２０，４０（間隔Ｌ１）と各第２リンク２２，４（間隔Ｌ２）とを、互いに異なる長さ（間隔Ｌ１≠間隔Ｌ２）に形成してもよい。また、同様に、上下一対の固定ピン２０ａ，２２ａ（４０ａ，４２ａ）の間隔Ｌ３と、上下一対の可動ピン２０ｂ，２２ｂ（４０ｂ，４２ｂ）の間隔Ｌ４と、を互いに異なる長さ（間隔Ｌ３≠間隔Ｌ４）に設定してもよい。
【００７６】
なお、本実施形態に係る室外側ハンドル装置３を室内側（室内側壁面２ｃ）に設けてもよい。同様に、本実施形態に係る室内側ハンドル装置４を室外側（室外側壁面２ｂ）に設けてもよい。
【００７７】
なお、本実施形態に係る電気錠システム１では、２つの電気錠７，８が設けられていたが、これに限定されるものではなく、電気錠を３つ以上設けてもよい。
【００７８】
なお、上記実施形態の説明は、本発明に係るハンドル装置における一態様を示すものであって、本発明の技術範囲は、上記実施形態に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【符号の説明】
【００７９】
２  扉
２ｂ  室外側壁面
２ｃ  室内側壁面
３  室外側ハンドル装置（ハンドル装置）
４  室内側ハンドル装置（ハンドル装置）
５  ラッチ錠
１０  室外側ハンドル（ハンドル）
１１  室外側レバー（レバー）
１２  室外側支持機構（支持機構）
１３  上室外側台座（台座）
１４  下室外側台座（台座）
１５  室外側グリップ（グリップ）
１５ａ  室外側レバー挿入部（レバー挿入部）
２０，４０  第１リンク
２０ａ，４０ａ  第１固定ピン
２０ｂ，４０ｂ  第１可動ピン
２２，４２  第２リンク
２２ａ，４２ａ  第２固定ピン
２２ｂ，４２ｂ  第２可動ピン
２３，４３  レバー戻しバネ（付勢部材）
３０  室内側ハンドル（ハンドル）
３１  室内側レバー（レバー）
３２  室内側支持機構（支持機構）
３３  上室内側台座（台座）
３４  下室内側台座（台座）
３５  室内側グリップ（グリップ）
３５ａ  室内側レバー挿入部（レバー挿入部）
Ｌ１，Ｌ２，Ｌ３，Ｌ４  間隔
Ｐ１，Ｐ３  初期位置
Ｐ２，Ｐ４  解錠位置
【図１】
2016164329.tif 000003
【図２】
2016164329.tif 000004
【図３】
2016164329.tif 000005
【図４】
2016164329.tif 000006
【図５】
2016164329.tif 000007